(57)【要約】【課題】  瞬時的に機能しないタイミングが発生した場合、その機能しない状態をユーザが把握できる電子内視鏡装置を提供する。【解決手段】  プロセッサのフロントパネル６２には複数の操作スイッチ６３ａ〜６３ｆと各操作スイッチに割り付けられた機能が有効に機能するか否かを点灯／消灯で表示するＬＥＤ６４ａ〜６４ｆが設けてあり、観察モードの切替等の指示操作が行われ、対応する処理中の間、ＬＥＤ６４ａ〜６４ｆは消灯する。ＬＥＤ６４ａ〜６４ｆが消灯することにより、ユーザは、各機能が有効でないことを把握することができる。【選択図】  図４
2006271869.tif 000002
【特許請求の範囲】
【請求項１】
固体撮像素子を内蔵した電子内視鏡が接続される光源装置及び信号処理装置との少なくとも一方を備えた電子内視鏡装置において、
複数の各機能に対する指示操作を行うための複数の操作子と、
前記複数の操作子における少なくとも１つ以上の操作子に対応して設けられ、点灯／消灯若しくは点灯状態の変更により各操作子に割り付けられた機能が有効か否かの状態を表示するための表示部と、
前記複数の操作子におけるいずれかが指示操作され、対応する機能の処理が終了するまでの間、無効となる機能に対応する表示部を消灯若しくは有効の場合の点灯状態と異なる点灯状態に設定する制御を行う制御手段と、
を具備したことを特徴とする電子内視鏡装置。
【請求項２】
前記制御手段は、一つの操作子による指示操作に対応する機能の処理が終了するまでの間、接続されている他の内視鏡周辺装置における無効となる機能に対応する表示部の点灯状態を消灯若しくは有効な場合の点灯状態と異なる点灯状態に設定する信号を通信手段を介して行うことを特徴とする請求項１に記載の電子内視鏡装置。
【請求項３】
前記複数の操作子における少なくとも１つ以上の操作子は、複数の観察モードを切り替える観察モード切替用の操作子又はホワイトバランス調整を行う操作子であることを特徴とする請求項１に記載の電子内視鏡装置。
【請求項４】
さらに前記観察モード切替用の操作子により観察モードを選択した場合、前記観察モード切替前と切替後の両観察モードに対応する表示部の点灯色を変更するようにしたことを特徴とする請求項３に記載の電子内視鏡装置。
【発明の詳細な説明】
【技術分野】
【０００１】
本発明は、電子内視鏡が接続され、内視鏡検査に用いられる電子内視鏡装置に関する。
【背景技術】
【０００２】
最近においては、医療用分野等において、固体撮像素子が内蔵されて電子内視鏡を用いて、内視鏡検査や処置具を用いた処置が行われるようになった。  
電子内視鏡による内視鏡検査の際には、電子内視鏡に照明光を供給する光源装置及び固体撮像素子に対する信号処理を行う信号処理装置が使用される。  
電子内視鏡装置の従来例として、例えば特開２００４−３３５号公報には、信号処理装置に設けられた各種機能の指示操作を行うことができる操作キーと、機能させることができない操作キーとは表示状態を変えることにより、有効な機能であるか無効となる機能であるかを、ユーザに分かるようにしていた。
【特許文献１】特開２００４−３３５号公報
【発明の開示】
【発明が解決しようとする課題】
【０００３】
しかし、上記従来例では、レリーズ中に拡大操作が無効であったり、他には、観察光モード切替中に色調操作が無効になる等、通常は使用できる機能であっても、瞬時的に操作が禁止或いは無効になる場合も、使用できるままの状態で表示していた。  
そのため、ユーザが実際には有効に機能しないタイミングにおいて、操作キーを操作してしまう場合があり、その場合にはその操作を行っても、対応する機能が実行されない為、ユーザは、困惑したり、とまどう場合があった。
【０００４】
（発明の目的）
本発明は上述した点に鑑みてなされたもので、瞬時的に機能しないタイミングが発生した場合、その機能しない状態をユーザが把握できる電子内視鏡装置を提供することを目的とする。
【課題を解決するための手段】
【０００５】
本発明は、固体撮像素子を内蔵した電子内視鏡が接続される光源装置及び信号処理装置との少なくとも一方を備えた電子内視鏡装置において、
複数の各機能に対する指示操作を行うための複数の操作子と、
前記複数の操作子における少なくとも１つ以上の操作子に対応して設けられ、点灯／消灯若しくは点灯する点灯状態の変更により各操作子に割り付けられた機能が有効か否かの状態を表示するための表示部と、
前記複数の操作子におけるいずれかが指示操作され、対応する機能の処理が終了するまでの間、無効となる機能に対応する表示部を消灯若しくは有効の場合の点灯状態と異なる点灯状態に設定する制御を行う制御手段と、
を具備したことを特徴とする。  
上記構成により、ユーザがある機能に実行させるためにその機能に対応する操作子を指示操作した場合、その機能を処理するために瞬時的に機能しないタイミングが発生しても、その間、無効となる機能に対応する表示部を消灯若しくは有効な場合とは異なる点灯状態に設定することによって、ユーザが無効であることを的確に把握できるようにしている。
【発明の効果】
【０００６】
本発明によれば、瞬時的に機能しないタイミングが発生しても、ユーザはその無効の状態を的確に把握することができる。
【発明を実施するための最良の形態】
【０００７】
以下、図面を参照して本発明の実施例を説明する。  
【実施例１】
【０００８】
図１ないし図６は本発明の実施例１に係り、図１は本発明の実施例１を備えた電子内視鏡装置の全体構成を示し、図２は先端部の正面図を示し、図３は回転フィルタの構成やフィルタ特性等を示し、図４はプロセッサのフロントパネルにおける観察モード切替前と切替中における表示例を示し、図５は光源装置のフロントパネルの表示例を示し、図６は本実施例におけるモード切替操作を行った際に、ＬＥＤを点灯／消灯する制御動作の内容を示す。  
図１に示すように、本発明の実施例１の電子内視鏡装置１は、体腔内に挿入され、患部等の被写体を観察及び処置する電子内視鏡２と、この電子内視鏡２に通常観察用のＲＧＢ光及び特殊観察用の特殊光を供給する光源装置３と、電子内視鏡２により撮像された内視鏡映像信号を信号処理して映像信号を生成する電子内視鏡用信号処理装置としてのプロセッサ４と、このプロセッサ４から出力される映像信号が入力されることにより、この映像信号に対応する内視鏡画像を表示するモニタ５と、映像信号を動画で記録する映像信号記録装置としての例えばＶＴＲ４０とを備えて構成される。
【０００９】
電子内視鏡２は、患者の体腔内に挿入される挿入部６と、この挿入部６の後端に設けられた操作部７とを有し、この操作部７からユニバーサルケーブル８が延出されている。    この挿入部６内には照明光を伝送するライトガイド９が挿通されており、この後端のライトガイドコネクタ１０ａは、光源装置３に着脱自在に接続される。そしてこの光源装置３からの照明光（特殊光モードにおける蛍光観察時には励起光）を伝送し、挿入部６の先端部１１の照明窓に取り付けられたライトガイド先端面９ａ，９ｂ（図２参照）から外部に出射し、患部等の被写体を照明（蛍光観察時には励起光を照射）する。  
図２に示すように照明窓に隣接して２つの観察窓（撮像窓）が設けられ、これら２つの観察窓にはそれぞれ対物レンズ系１２Ａ、１２Ｂが取り付けられており、図１に示すように対物レンズ系１２Ａ、１２Ｂの各結像位置にはそれぞれ固体撮像素子として第１及び第２の電荷結合素子（ＣＣＤと略記）１３Ａ、１３Ｂが配置されている。
【００１０】
なお、第２のＣＣＤ１３Ｂは、ＣＣＤ素子内部に増幅機能を備えた高感度ＣＣＤであり、特殊光観察モードにおける蛍光観察モード時にのみ用いられる。これに対して第１のＣＣＤ１３Ａは、通常観察モード時及び特殊光観察モードにおける（蛍光観察モードを除く）赤外光観察モード及び狭帯域光観察モード時に使用される。  
なお、対物レンズ系１２Ａ、１２Ｂとしては、図示しない駆動手段により対物レンズ系１２Ａ、１２Ｂの一部のレンズを光軸方向に移動し、ズーム倍率を変更できるようにしたズーム光学系が形成されている。電子内視鏡２は、その種類により、対物レンズ系１２Ａ、１２Ｂがズーム光学系のものと、ズーム光学系でないものとがある。  
上記のように第２のＣＣＤ１３Ｂは、蛍光観察モード時において、励起光をカットして蛍光観察するために、ＣＣＤ１３Ｂの前に励起光カットフィルタ１４が設けてある。  
これら両ＣＣＤ１３Ａ、１３Ｂに接続された信号線１５ａ、１５ｂは、挿入部６、操作部７及びユニバーサルケーブル８内を挿通され、その端部は信号コネクタ１０ｂに至る。そして、この信号コネクタ１０ｂは、プロセッサ４に着脱自在に接続される。
【００１１】
また、信号コネクタ１０ｂ内には連動して切り替えられ得る切替スイッチ１６ａ，１６ｂが設けてあり、両ＣＣＤ１３Ａ、１３Ｂに接続された信号線１５ａ、１５ｂを切替スイッチ１６ａ、１６ｂにより切り替えることにより観察モードに応じて実際に撮像に使用する一方のＣＣＤを選択できるようにしている。  
なお、本実施例においては、両ＣＣＤ１３Ａ，１３Ｂを切り替える切替手段を電子内視鏡２内に設けているが、切替手段を設けないで、プロセッサ４側において駆動するＣＣＤを切り替えるようにしても良い。
【００１２】
また、挿入部６内には、チャンネル１７が設けてあり、このチャンネル１７は、操作部７の前端付近の処置具挿通口１８で開口しており、この処置具挿通口１８から処置具１９を挿入することができる。このチャンネル１７は、先端部１１の先端面において先端開口１７ａとして開口しており、チャンネル１７に挿通された処置具１９の先端側を先端開口１７ａから突出させて、患部組織を採取したり、処置具で病変部を切除する等の処置を行うことができる。  
また、挿入部６内には、図示しない送気送水管路が設けてあり、この送気送水管路の先端のノズル２０は、例えば図２に示すように対物レンズ系１２Ｂ及びその延長先の対物レンズ系１２Ａに対向している。そして、送気或いは送水することにより、対物レンズ系１２Ｂ及び対物レンズ系１２Ａの外表面に付着した観察視野の邪魔になる付着物等を除去し易くしている。  
また、この電子内視鏡２の例えば操作部７には、複数のスイッチからなるスコープスイッチ部２１が設けてあり、このスコープスイッチ部２１には観察モードを切り替える観察モード選択スイッチ２１ａ等が設けてある。
【００１３】
また、この電子内視鏡２の例えば信号コネクタ１０ｂ内には、この電子内視鏡２の固有の情報を格納したスコープ情報格納部２２が設けてある。  
このスコープ情報格納部２２は、スコープ情報を格納した格納手段（記憶手段）としてのメモリ２２ａと、このメモリ２２ａに情報を格納したり、格納された情報を読み出す等の処理を行うＣＰＵ２２ｂとからなる。  
なお、このメモリ２２ａには、ホワイトバランス設定値が複数（例えば３８個）格納されており、データの具体的なデータ構成は例えば、
「光源装置シリアルナンバー」＋「色フィルタ種別データ」＋「ホワイトバランス設定値」
という形式であって、このような構成のデータがメモリ２２ａに格納されている。  
また、メモリ２２ａには上記ホワイトバランス設定値のデータ以外に下記データが格納されている。
【００１４】
１）内視鏡機種名
２）内視鏡シリアルナンバー
３）内視鏡が対応する観察光（特殊光観察モード）の種類データ
４）内視鏡に設けられた固体撮像素子の数及び種類のデータ
５）内視鏡に設けられた各固体撮像素子の画素数のデータ
６）内視鏡の光学拡大観察への対応有無を示すデータ
７）内視鏡の処置具チヤンネルの情報（チヤンネルの内径、固体撮像素子の撮像視野範囲に対する方向位置、適用できる処置具の識別色情報）
８）内視鏡の先端部外径データ
９）内視鏡の挿入部外径データ
１０）内視鏡が光学拡大観察に対応している場合、最大拡大時に１ｍｍの大きさの物体を観察した時、画面上何ｍｍで見えるかを示すスケールデータ（固体撮像素子毎）
一方、光源装置３は、可視光を含む照明光を発生するランプ２３を有する。
【００１５】
このランプ２３から射出された照明光は、その光路中に配置された絞り２４を経て、帯域切替フィルタ２５に入射される。帯域切替フィルタ２５を透過した光は、回転フィルタ２７に入射される。回転フィルタ２７を透過した光は、集光レンズによって集光され、ライトガイド９の入射端に入射される。  
回転フィルタ２７は、この回転フィルタ２７を照明光の光軸周りに回転させるモータ２６と共に、例えばプランジャ３１によって照明光の光路と直交する方向（図１の符号Ａで示す矢印の方向）に移動される。例えば、モータ２６は、プランジャ３１のアームに取り付けられ、アームの突出量を可変にすることにより、回転フィルタ２７とモータ２６とが照明光の光路と直交する方向（図１の符号Ａの矢印の方向）に移動される。
【００１６】
なお、帯域切替フィルタ２５は、モータ３２の回転軸に回動自在に取り付けられており、このモータ３２は、フィルタ＆絞り駆動回路３３により駆動される。また、このフィルタ＆絞り駆動回路３３は、プランジャ３１の駆動も行う。このフィルタ＆絞り駆動回路３３は、光源装置３に設けられた光源制御回路３４により制御される。  
この光源制御回路３４は、制御手段としてのＣＰＵ３５と、光源装置３の固有の情報等を格納したメモリ３６とを有する。  
このメモリ３６には下記データが格納されている。
【００１７】
１）光源装置のシリアルナンバー
２）光源装置に搭載されている特殊光フィルタの識別情報
３）光源装置の使用状況データ（光源装置の使用回数、使用時間、ランプの総点灯時間、ＲＧＢフィルタ／各特殊光フィルタの総使用回数／時間）
上記ＣＰＵ３５は、光源装置３に設けられたコネクタ３７を介してプロセッサ４に設けられたコネクタ３８と通信用の信号線で接続され、このＣＰＵ３５は、プロセッサ４の内部に設けられた制御手段としてのＣＰＵ４１と双方向の通信を行う。  
ＣＰＵ３５とＣＰＵ４１とは、観察モードの切替操作が行われると、互いに通信して、観察モードに対応した照明光を電子内視鏡２のライトガイド９に供給するように制御すると共に、観察モードに対応してＣＣＤの駆動及び信号処理を行う。
【００１８】
また光源装置３には、フロントパネル４２が設けてあり、このフロントパネル４２には観察に用いられる照明光（観察光ともいう）の切替、つまり観察モードの切替等、所定の機能を実行させる指示操作を行う操作子として、複数の操作スイッチ４３と共に、観察モードの切替を行えるか否か等を点灯／消灯状態でユーザに告知する表示部となるＬＥＤ（図１ではＬで略記）４４とが設けてある。操作スイッチ４３及びＬＥＤ４４は、信号線を介してＣＰＵ３５と接続されている。なお、操作スイッチ４３及びＬＥＤ４４のより詳細な構成は図５で説明する。  
次に図３を参照して、光源装置３に設けられた回転フィルタ２７及び帯域切替フィルタ２５の構造と特性について説明する。図３は、電子内視鏡２で使用されるフィルタの構造と、各フィルタの特性についての説明図である。  
図３（Ａ）に示すように、回転フィルタ２７は、同心円状の内周側に通常観察用のＲＧＢフィルタ２８が配置され、同心円状の外周側に蛍光観察用フィルタ２９が配置されており、観察モードに応じていずれかのフィルタが選択されて、照明光の光路上に挿入される。
【００１９】
内周側に配置された、通常観察用のＲＧＢフィルタ２８は、Ｒフィルタ２８ａと、Ｇフィルタ２８ｂと、Ｂフィルタ２８ｃとから構成され、各フィルタは図３（Ｂ）に示すような透過特性を有している。  
すなわち、Ｒフィルタ２８ａは、６００ｎｍ−７００ｎｍの赤の波長帯域、Ｇフィルタ２８ｂは５００ｎｍ−６００ｎｍの緑の波長帯域、Ｂフィルタ２８ｃは４００ｎｍ−５００ｎｍの青の波長帯域を透過するように、それぞれ設定されている。  
また、ＲＧＢフィルタ２８は、赤外光観察用にも使用されるため、Ｒフィルタ２８ａとＧフィルタ２８ｂとは７９０ｎｍ−８２０ｎｍの波長帯域、Ｂフィルタ２８ｃは９００ｎｍ−９８０ｎｍの波長帯域も透過するように、それぞれ設定されている。  
外周側に配置された、蛍光観察用の蛍光観察用フィルタ２９は、Ｇ２フィルタ２９ａと、Ｅフィルタ２９ｂと、Ｒ２フィルタ２９ｃとから構成され、各フィルタは、図３（Ｃ）に示すような透過特性を有している。
【００２０】
すなわち、Ｇ２フィルタ２９ａは、５４０ｎｍ−５６０ｎｍの波長帯域、Ｅフィルタ２９ｂは４００ｎｍ−４７０ｎｍの波長帯域、Ｒ２フィルタ２９ｃは６００ｎｍ−６６０ｎｍの波長帯域を透過するように、それぞれ設定されている。尚、Ｇ２フィルタ２９ａとＲ２フィルタ２９ｃとの透過特性は低いレベルに設定されており、これらの狭帯域の照明光のもとで撮像された緑及び赤の色信号（以下、それぞれＧ２信号、Ｒ２信号と示す）と蛍光信号とを合成することで、蛍光観察用にカラー表示できるようにしている。  
また、図３（Ｅ）に示すように、帯域切替フィルタ２５は、同心円上に通常・蛍光観察用フィルタ２５ａ、狭帯域光観察用フィルタ２５ｂ、赤外光観察用フィルタ２５ｃが配置されており、観察モードに応じていずれかのフィルタが選択され、照明光の光路上に挿入される。
【００２１】
図３（Ｆ）に示すように、通常・蛍光観察用フィルタ２５ａは、４００ｎｍ−６６０ｎｍ付近の波長帯域を透過するように設定されており、赤外光観察用フィルタ２５ｃは、７８０ｎｍ−９５０ｎｍ付近の波長帯域を透過するように設定されている。また、狭帯域光観察用フィルタ２５ｂは３峰性のフィルタで構成されており、図３（Ｇ）に示すように、４００ｎｍ−４３０ｎｍ付近、５３０ｎｍ−５５０ｎｍ付近、６００ｎｍ−６３０ｎｍ付近の、３つの離散的な波長帯域を透過するように設定されている。  
本実施例を備えた電子内視鏡装置１では、照射光の波長帯域を制限することで、通常観察と特殊光観察に対応する狭帯域光観察、赤外光観察、及び蛍光観察の３種類の計４種類の観察モードで被写体を観察することが可能である。より具体的には、通常観察の場合には、Ｒ，Ｇ，Ｂによる可視光領域の面順次光のもとで撮像を行い、撮像された信号に対して通常の内視鏡画像を生成する。
【００２２】
これに対して、狭帯域光観察、赤外光観察、及び蛍光観察の場合には、帯域制限してそれぞれに対応する画像を生成する。また、本実施例においては、特に蛍光観察の場合における蛍光強度が他の観察時に比べて非常に弱いため、上述したＣＣＤ素子内部に信号増幅（信号増倍）機能を備えた高感度のＣＣＤ１３Ｂに切り替えて使用するようにしている。  これらの観察モードは、ユーザが観察モード選択スイッチ２１ａや光源装置３のフロントパネル４２に設けた操作スイッチ４３を操作することで設定される。観察モード選択スイッチ２１ａが操作されると、プロセッサ４内の制御手段を構成するＣＰＵ４１に指示信号が出力される。  
ＣＰＵ４１は、観察モード選択スイッチ２１ａの指示信号を光源装置３のＣＰＵ３５に送り、ＣＰＵ３５はフィルタ＆絞り駆動回路３３を介してプランジャ３１やモータ３２の回転量（回転角）を制御して、指示された観察モードに応じて、ランプ２３の照明光路中に配置されるフィルタをＲＧＢフィルタ２８もしくは蛍光観察用フィルタ２９等へ切り替えたり、帯域切替フィルタ２５を選択制御する。
【００２３】
また、光源装置３のフロントパネル４２に設けた操作スイッチ４３を操作して観察モードを切り替える操作を行った場合にも、光源装置３のＣＰＵ３５を経てプロセッサ４内のＣＰＵ４１にモード切替或いはモード選択の指示信号が入力される。そして、ＣＰＵ４１及びＣＰＵ３５とにより、同様に観察モードの切替に対応した制御処理が行われる。  
具体的には、通常観察モード、狭帯域光観察モード、及び赤外光観察モードに設定された場合、回転フィルタ２７の内周側に配置されたＲＧＢフィルタ２８が照明光の光路上に挿入され、蛍光観察モードが設定された場合、回転フィルタ２７の外周側に配置された蛍光観察用フィルタ２９が照明光の光路上に挿入される。  
また、通常観察モード及び蛍光観察モードに設定された場合、通常・蛍光観察用フィルタ２５ａが照明光の光路上に挿入され、狭帯域光観察モードに設定された場合、狭帯域光観察用フィルタ２５ｂが照明光の光路上に挿入され、赤外光観察モードに設定された場合、赤外光観察用フィルタ２５ｃが照明光の光路上に挿入される。
【００２４】
すなわち、通常観察モードにおいては、ランプ２３から射出された照明光が、図３（Ｆ）に示す特性を有する通常・蛍光観察用フィルタ２５ａと、図３（Ｂ）に示す特性を有するＲＧＢフィルタ２８とを透過することで、赤、緑、青の波長帯域の光のみがフィルタリングされて、光源装置３からライトガイド９へ順次射出される。  
また、狭帯域光観察モードにおいては、ランプ２３から射出された照明光が、図３（Ｇ）に示す特性を有する狭帯域光観察用フィルタ２５ｂと、図３（Ｂ）に示す特性を有するＲＧＢフィルタ２８とを透過することで、６００ｎｍ−６３０ｎｍ、５３０ｎｍ−５６０ｎｍ、４００ｎｍ−４３０ｎｍの波長帯域の光のみがフィルタリングされて、光源装置３からライトガイド９へ順次射出される。  
また、赤外光観察モードにおいては、ランプ２３から射出された照明光が、図３（Ｆ）に示す特性を有する赤外光観察用フィルタ２５ｃと、図３（Ｂ）に示す特性を有するＲＧＢフィルタ２８とを透過することで、７９０ｎｍ−８２０ｎｍ、７９０ｎｍ−８２０ｎｍ、９００ｎｍ−９８０ｎｍの波長帯域の光のみがフィルタリングされて、光源装置３からライトガイド９へ順次射出される。
【００２５】
また、蛍光観察モードにおいては、ランプ２３から射出された照明光が、図３（Ｆ）に示す特性を有する通常・蛍光観察用フィルタ２５ａと、図３（Ｃ）に示す特性を有する蛍光観察用フィルタ２９とを透過することで、５４０ｎｍ−５６０ｎｍ、３９０ｎｍ−４５０ｎｍ、６００ｎｍ−６２０ｎｍの波長帯域の光のみがフィルタリングされて、光源装置３からライトガイド９へ順次射出される。ここで、３９０ｎｍ−４５０ｎｍの波長帯域の光は、生体組織から自家蛍光を励起するための励起光として使用される。  
ライトガイド９に入射された照明光は、図３に示すようにライトガイド９の先端面９ａ、９ｂから出射され、被検査対象部位等の被写体に照射される。通常観察モードにおいては、Ｒ、Ｇ、Ｂの面順次の照明光が被写体に照射され、蛍光観察モードにおいては、Ｇ２、Ｅ、Ｒ２の面順次の照明光が被写体に照射される（Ｅの照明光は、励起光として使用される）。
【００２６】
蛍光観察モードにおいては、ＣＣＤ１３Ｂが使用され、このＣＣＤ１３Ｂと、対物レンズ系１２Ｂの間の光路上には励起光カットフィルタ１４が配置されており、被写体からの反射光のうち３９０ｎｍ−４５０ｎｍの励起光を遮断して蛍光を抽出する。  
励起光カットフィルタ１４は、図３（Ｄ）に示すように、４７０ｎｍ以上の波長帯域を透過するように設定されており、Ｅフィルタ２９ｂの透過特性と重ならないように設定されている。  
面順次の照明光が照射されて、被写体から散乱光、反射光、或いは蛍光が発生する。これらの光は、励起光カットフィルタ１４を透過し、対物レンズ系１２ＢによってＣＣＤ１３Ｂの光電変換面に結像され、ＣＣＤ１３Ｂにおいて光電変換される。  
本実施例においては、回転フィルタ２７のそれぞれのフィルタを通過した照射光に対応する画像信号が、ＣＣＤ１３Ａ、或いは１３Ｂからプロセッサ４へ時系列で順次出力される。
【００２７】
尚、時系列で出力される画像信号（撮像信号）は、通常観察モードにおいてはＲ、Ｂ、Ｇの色信号となり、蛍光観察モードにおいてはＧ２の照明光の下で撮像されたＧ２信号、Ｅの励起光の下で撮像された蛍光信号、Ｒ２信号の照明光の下で撮像された信号となる。また、狭帯域光観察モードと赤外光観察モードとにおいては、それぞれの照明光の順番に応じた信号となる。  
このように観察モードの切替の指示操作を行うと、瞬時的に回転フィルタ２７の移動などの処理を行うことが必要となり、その処理が終了するまでは短い時間であるが、他の機能の指示操作が行われても実行することができない、つまり他の機能の指示操作を行うことが無効な状態となる。そして、本実施例では、この処理中の短い時間中、その処理を行っていなければ有効であることを点灯状態で示す表示部を消灯状態にして、その機能が有効に機能しないことを分かり易く告知（表示）する制御を行うようにしている。
【００２８】
次に図１を参照してプロセッサ４の内部構成を説明する。プロセッサ４内には、ＣＣＤ１３Ａ及び１３Ｂを駆動するＣＣＤ駆動回路４５が設けてある。ＣＰＵ４１は、観察モードの選択（切替）に応じて、ＣＣＤ駆動回路４５を制御し、駆動するＣＣＤを制御する。つまり、ＣＰＵ４１は、ＣＣＤ駆動制御機能を持つ。  
より具体的には、ＣＣＤ１３Ａと１３Ｂとは、種類が異なるＣＣＤであると共に、画素数が異なるため、ユーザにより観察モードが選択されると、その観察に対応したＣＣＤを駆動するＣＣＤ駆動信号を出力するようにＣＣＤ駆動回路４５を制御する。また、ＣＰＵ４１は、観察モードの選択に対応して切替スイッチ１６ａ、１６ｂの切替も制御する。    また、プロセッサ４内には増幅率制御回路４６が設けてあり、蛍光観察時が選択されて実際に蛍光撮像を行う期間においては、ＣＣＤ１３ＢへのＣＣＤ駆動信号と共に、増幅率制御信号を出力する。
【００２９】
ＣＰＵ４１は、実際に蛍光撮像を行う期間（上記Ｅフィルタ２９ｂで励起光を照射して蛍光撮像を行う期間）においては、この増幅率制御回路４６に対して制御信号を送り、例えば、予め設定された蛍光観察に対応した標準の増幅率に設定する増幅率制御信号を出力させる。  
この増幅率制御信号は、ＣＣＤ駆動信号に重畳されてＣＣＤ１３Ｂに印加され、ＣＣＤ１３Ｂの素子内部において光電変換された信号は、増幅率制御信号により増倍され、ＣＣＤ１３Ｂから増幅された信号が出力される。  
なお、ユーザは、例えばキーボード４７から任意の増幅率に設定する指示信号をＣＰＵ４１に送信することにより、増幅率を変更することができる。また、スコープスイッチ部２１の複数のスイッチに割り当てた増幅率をアップ或いはダウンするスイッチ操作による指示信号をＣＰＵ４１に送信することにより増幅率を変更することもできる。この場合にも、ＣＰＵ４１は、これらの指示信号により、対応する制御信号を増幅率制御回路４６に送り、指示された増幅率に設定する。
【００３０】
上記ＣＣＤ１３Ａ或いはＣＣＤ１３Ｂは、ＣＣＤ駆動信号の印加により、光電変換された撮像信号を出力する。この撮像信号は、プロセッサ４内の映像信号前処理回路５１に入力され、この映像信号前処理回路５１によりＣＤＳ処理などが行われる。  
この映像信号前処理回路５１の出力信号は、アナログ信号をデジタル信号に変換するＡ／Ｄ変換回路５２に入力され、このデジタル信号に変換された映像信号は、ホワイトバランス処理を施すホワイトバランス回路（図１ではＷ／Ｂバランスと略記）５３に入力される。このホワイトバランス回路５３の出力信号は、入力される映像信号に対して、例えば構造強調及び色彩強調等の画像処理を行うる画像処理回路５４に入力される。  
この画像処理回路５４の出力信号は、この出力信号と表示コントローラ５６により生成される各種の画像に対応する映像信号とを合成して出力する映像信号出力回路５５に入力される。この映像信号出力回路５５の出力信号は、Ｄ／Ａ変換回路５７に入力され、アナログの映像信号に変換されてモニタ５に出力される。
【００３１】
また、Ａ／Ｄ変換回路５２の出力信号は、照明光量の自動制御を行うために、画像上での明るさを測定する測光回路５８に入力され、この測光回路５８により測光される。測光するモードとしては、画像の明るさのピークを検出するピーク測光と、平均の明るさを検出する平均測光と、中央付近の明るさを検出するオート測光とがある。  
この測光回路５８或いはこの測光された信号が入力されるＣＰＵ４１は、測光された信号を設定しようとする（明るさの）基準値と比較し、その差を小さくするように調光信号を生成する。そして、この調光信号は、コネクタ３８、３７を経て光源装置３内のＣＰＵ３５に送られ、このＣＰＵ３５はフィルタ＆絞り駆動回路３３を介して絞り２４の開口量を調整し、基準値に相当する適切な明るさとなるように自動調光する。  
また、プロセッサ４内には、各種の情報を格納するメモリ６１が設けてあり、ＣＰＵ４１は、このメモリ６１に格納された情報を参照して、プロセッサ４の前面のフロントパネル（操作パネル）６２に設けられた操作子としての複数の操作スイッチ６３に割り付けられた機能を実行させることが可能な状態か否か、換言するとその機能が有効か無効かを表示部としてのＬＥＤ６４の点灯／消灯により表示させるように、制御する。
【００３２】
図４（Ａ）に示すようにフロントパネル６２には、構造強調、色彩強調のＯＮ／ＯＦＦを行う複数の操作スイッチ６３ａ、６３ｂと共に、操作スイッチ６３ａ、６３ｂの近傍には、その操作スイッチ６３ａ、６３ｂによる機能が有効な状態か否かを点灯／消灯状態でユーザに告知する表示部としてのＬＥＤ６４ａ、６４ｂが設けてある。図４（Ａ）の例では、ＬＥＤ６４ａ、６４ｂは、操作スイッチ６３ａ、６３ｂ（による機能）と一体的に設けてある（例えば長円形の操作スイッチ６３ａ、６３ｂにおける構造或いは色彩の表示部分にＬＥＤ６４ａ、６４ｂが配置されている）。  
操作スイッチ６３ａ、６３ｂ及びＬＥＤ６４ａ、６４ｂは、信号線を介して制御手段としてのＣＰＵ４１と接続されている。そして、ＣＰＵ４１は、操作スイッチ６３ａ、６３ｂの機能が有効な状態の場合には、対応する表示部としてのＬＥＤ６４ａ、６４ｂを点灯状態にし、その機能が無効（操作を受け付けない）状態の場合には、消灯状態にする制御を行う。ＣＰＵ４１は、操作スイッチ６３ａ、６３ｂの操作に対応して画像処理回路５４の動作制御を行う。このＣＰＵ４１は、画像処理回路５４の他に、ホワイトバランス回路５３及び表示コントローラ５６等も制御する。
【００３３】
例えば図４（Ａ）は、通常観察モードに設定された状態での表示例を示し、操作スイッチ６３ａ、６３ｂ等は有効な状態であり、ＬＥＤ６４ａ、６４ｂは緑色で点灯表示（図面中で（緑）と略記）されている。なお、この他に、測光スイッチ６３ｃもその状態を表示するＬＥＤ６４ｃが緑色の点灯状態となっている。  
また、ホワイトバランス調整を行う際の赤及び青のゲイン調整用の操作スイッチ６３ｄと、そのゲインＵＰ及びゲインＤＯＷＮの操作スイッチ６３ｅ、６３ｆも、各状態が有効であるか否かを表示するＬＥＤ６４ｄ，６４ｅ、６４ｆが略一体的に設けてある。図４（Ａ）の場合では、ＬＥＤ６４ｄ，６４ｅ、６４ｆは緑色の点灯状態となっており、これらの機能が有効であることが分かる。  
このＣＰＵ４１は、観察モードの選択操作或いは切替操作や、ホワイトバランス調整の指示操作が行われたか否かを監視（モニタ）し、その切替操作の指示信号を受け付けると、その処理を実行する制御を行う。
【００３４】
また、このＣＰＵ４１は、観察モードの切替制御処理等を行う際、その処理が終了するまで、ＬＥＤ６４ａ〜６４ｆを点灯状態から消灯状態にして、対応する操作スイッチ６３ａ〜６３ｅの機能が無効である表示制御を行う。  
図４（Ｂ）は、図４（Ａ）の状態において観察モードの切替操作が行われた際の短い切替時にフロントパネル６２におけるＬＥＤ６４ａ〜６４ｆが点灯状態から消灯状態に切り替えられた様子を示す。なお、図４（Ｂ）ではＬＥＤ６４ａ〜６４ｆの消灯状態を斜線により示している。  
このように本実施例では、観察モードを切り替える切替操作が行われた切替時には、ＣＰＵ４１は、その切替の処理が終了するまでの短い時間、操作スイッチ６３ａ〜６３ｆに割り付けられた機能を実行することができないことを視覚的に示すため、それらの操作スイッチ６３ａ〜６３ｆの近傍に設けられたＬＥＤ６４ａ〜６４ｆを点灯状態から消灯状態にする切替時表示制御を行う。つまり、このＣＰＵ４１は、図１に示すように切替時表示制御４１ａの機能を持つ。なお、ＣＰＵ４１は、ホワイトバランス調整時にも、その調整の処理中に同様の制御を行う。
【００３５】
また、本実施例では、ＣＰＵ４１は、光源装置３のＣＰＵ３５とも通信を行い、ＣＰＵ４１或いはＣＰＵ３５は、光源装置３のフロントパネル４２に設けられた操作スイッチ４３に対しても同様の制御を行う。  
図５（Ａ）は光源装置３のフロントパネル（操作パネル）４２の例を示す。このフロントパネル４２には、通常光で通常観察を行う通常観察モードから特殊光観察モードに設定する特殊光モード用の操作スイッチ４３ａと、特殊光観察モードにおける特定のモード、つまり蛍光観察、赤外観察、狭帯域観察を選択する特殊光モード内の選択を行う操作スイッチ４３ｂ等が設けてある。  
また、操作スイッチ４３ａの直上と、操作スイッチ４３ｂの直上には、有効なモードであるか否かの表示と、選択された状態を（有効な状態とは異なる点灯色で）表示する例えば２色で点灯可能なＬＥＤ４４ａ、４４ｂ〜４４ｄが設けてある。なお、ＬＥＤ４４ｂ〜４４ｄは、蛍光観察、赤外観察、狭帯域観察の各モードの機能に対応するものである。
【００３６】
そして、図１に示すように電子内視鏡２が光源装置３及びプロセッサ４に接続され（光源装置３とプロセッサ４もコネクタ３７、３８が通信ケーブルで接続される）、電源が投入されると、プロセッサ４のＣＰＵ４１は、光源装置３のＣＰＵ３５と通信を行い、接続された電子内視鏡２のメモリ２２ａから読み出した電子内視鏡２の種類の情報等から、その電子内視鏡２で使用可能（有効）な観察モードに対応するＬＥＤ４４ａ等を緑色で点灯させる。
【００３７】
図１の電子内視鏡２の場合には、図５（Ａ）のＬＥＤ４４ｂ〜４４ｄが、緑色で点灯し（図面中で（緑）と略記）、蛍光観察、赤外観察、狭帯域観察の各モード全てで使用できることをユーザに告知する。なお、図５（Ａ）では、ＬＥＤ４４ｂ〜４４ｄによる表示を蛍光、赤外、狭帯域と表示しているが、ＡＦＩ、ＩＲＩ、ＮＢＩ等の簡略化した表記や符号等で表示するようにしても良い。
【００３８】
また、図１に示す電子内視鏡２ではなく、例えば蛍光観察ができない電子内視鏡が接続された場合には、ＬＥＤ４４ｂが消灯し、その電子内視鏡の場合には蛍光観察には使用可能でないことをＬＥＤ４４ｂが消灯状態であることからその観察モードが使用できないことをユーザが知ることができるように告知する。  
また、ＣＰＵ３５は、特殊光モード内選択を行う操作スイッチ４３ｂが操作された場合には、選択されたモードに対応するＬＥＤを（緑色とは異なる）白色で点灯させる。例えば図５（Ａ）において、操作スイッチ４３ｂを操作して蛍光観察モードを選択すると、図５（Ｂ）に示すようにＬＥＤ４４ｂが白色（図面中で（白）と略記）で点灯する。この場合ＬＥＤ４４ｃ及び４４ｄは緑色の点灯状態のままとなる。  
このように選択された観察モード（の機能）が、選択されない観察モードとは異なる表示色（点灯色）で表示されるので、ユーザは簡単に選択された観察モードを知ることができる。
【００３９】
補足説明すると、現状では、内視鏡観察画面には、ユーザに関する情報（ＩＤ、ＮＡＭＥ、生年月日、年齢、性別、コメント等）や、現在日時、他、画像強調モード、ストップウォッチ表示、スコープ情報等、多くの情報を表示しており、スペース的にいっぱいの状態である。  
また、光源装置３のフロントパネル４２においても、多機能化に伴い、スイッチ数が増えた関係でスペースが殆ど無い状態にある。それに加え、特殊光観察に対応することで、現在、どの特殊光モードが使用でき、特殊光モードがＯＮした場合に実際にどの特殊光モードが選択されているかをユーザに分かるように表示することが求められる状態である。  このため、上述のように表示色を変えて表示することにより、コンパクトに、かつ分かり易く表示（告知）することができる。
【００４０】
このように光源装置３のフロントパネル４２において、特殊光観察モードの詳細の表示を行うことにより、実際に接続された電子内視鏡２に対応する特殊光観察モード等や現在設定されているモード等をＬＥＤの点灯表示によって、ユーザは簡単に知ることができる。  
次に、このように構成された本実施例の電子内視鏡装置１における観察モードを切り替える操作が行われた場合における切替時の作用について図６を参照して説明する。  
図１に示すように電子内視鏡２が光源装置３とプロセッサ４に接続された状態で、光源装置３及びプロセッサ４の電源が投入されると、光源装置３及びプロセッサ４は動作状態になる。  
すると、光源装置３のＣＰＵ３５とプロセッサ４のＣＰＵ４１は、例えば各ＣＰＵ内部のＲＯＭ等に格納されたプログラムを読み込み、ステップＳ１に示すように初期設定の処理を行う。
【００４１】
この初期設定の処理において、例えばＣＰＵ４１は、プロセッサ４に接続された内視鏡の種別などを判定するために、プロセッサ４に接続された内視鏡の内部に設けられたメモリ２２ａに格納された情報を読み出すことにより、内視鏡情報の読み出し処理を行う。    そして、ステップＳ２に示すようにＣＰＵ４１は、メモリ２２ａから読み出した情報から、この電子内視鏡２が対応する通常観察モード等、所定の観察モードの状態に設定する制御を行うと共に、電子内視鏡装置１を構成する内視鏡周辺装置としての光源装置３のＣＰＵ３５に通信ケーブルを介して送信し、ＣＰＵ３５は送信された信号によりこの所定の観察モードに対応した照明光を出射する状態に設定する。  
また、ステップＳ３に示すようにＣＰＵ４１は、プロセッサ４のフロントパネル６２における有効な機能に対応する操作スイッチ６３ａ〜６３ｆのＬＥＤ６４ａ〜６４ｆの点灯／消灯の制御処理を行う。そして、例えば図４（Ａ）に示すようにＬＥＤ６４ａ〜６４ｆを緑色で点灯させ、これら点灯されたものに対応する機能が有効であることをユーザに分かるように表示する。
【００４２】
また、光源装置３のＣＰＵ３５も、ＣＰＵ４１からの制御信号に基づいて、フロントパネル４２の４４ａ、４４ｂ〜４４ｄを図５（Ａ）に示すように緑色で点灯させ、これらに対応する操作スイッチ４３ａ、４３ｂ等の機能が有効であり、指示操作により実行させることができることをユーザに分かるようにする。  
次のステップＳ４においてＣＰＵ４１或いはＣＰＵ３５は、観察モードの切替操作の入力待ちの状態になる。そして、観察モードの切替操作が行われると、ステップＳ５においてＣＰＵ４１及びＣＰＵ３５は、切替操作に対応した観察モードに設定する切替処理を開始する。  
また、この切替処理を開始すると、ステップＳ６に示すようにＣＰＵ４１とＣＰＵ３５とは通信を行い、切替中に無効となる機能に対応する操作スイッチのＬＥＤを消灯状態にする。例えばプロセッサ４のフロントパネル６２は、図４（Ａ）から図４（Ｂ）のような表示状態となる。つまり、構造強調を行う操作スイッチ６３ａのＬＥＤ６４ａ等は消灯状態になり、これらは切替中には無効な状態であることが容易に分かる。このため、ユーザが誤って操作することを未然に防ぐ効果を持つ。
【００４３】
そして、次のステップＳ７においてＣＰＵ４１は、ＣＰＵ３５と通信を行い、モード切替の処理が終了したかの判定を行い、終了していない場合には、ステップＳ６の処理に戻り、消灯状態を維持する。  
一方、モード切替の処理が終了すると、ステップＳ２の処理に戻る。このモード切替の処理は数秒程度の短い時間である。ステップＳ２に戻った場合、光源装置３とプロセッサ４とは通信を行い、切替指示がされた観察モードへの設定処理を行う。そして、その観察モードで実行可能な機能に対応する操作スイッチのＬＥＤを点灯状態にする。なお、ステプＳ４の観察モード切替が、例えば蛍光観察モードへの切替であった場合には、切替後には、光源装置３のフロントパネル４２は、図５（Ｂ）のような状態になり、ＬＥＤ４４ｂが白色で点灯することになる。  
このような動作を行う本実施例によれば、観察モードの切替操作を行った場合、その観察モードに設定する処理が終了するまで、無効となる機能の操作スイッチに対応するＬＥＤを消灯状態に設定するように制御しているので、ユーザはその切替処理期間中に各操作スイッチの状態が有効か無効かを簡単に把握できる。
【００４４】
従って、切替処理中に無効となる操作スイッチを誤って操作するようなことを防止ないしは軽減することができる。また、仮に誤って操作しても、その操作が有効でないことを容易に把握することができる。このため、ユーザに対する操作性を向上することができる。  
なお、図６では、観察モードの切替の場合で説明したが、ホワイトバランス調整のスイッチ６３ｄを操作した場合にも、その操作によりホワイトバランス調整（取得）の処理が終了するまで、他の機能に対応するＬＥＤが消灯状態となるように制御される。  
この場合の処理動作の一部を図７に示す。なお、以下の制御処理では、操作された機能の処理動作中であることをより分かり易くするために、処理中の機能を点滅状態に設定するようにしている。
【００４５】
図７の処理はステップＳ３までは図６と同様であり、このステップＳ３の後のステップＳ１１においてＣＰＵ４１は、ホワイトバランス調整用の操作スイッチ６３ｄによる操作入力が有るかの判定を行う。操作入力がないと、ステップＳ２に戻る。  
操作スイッチ６３ｄの操作入力が行われると、次のステップＳ１２においてＣＰＵ４１は、ホワイトバランス調整の処理を開始する。そして、次のステップＳ１３においてＣＰＵ４１は、切替中、無効となる状態に対応する操作スイッチのＬＥＤを消灯状態にする。また、この場合、ＣＰＵ４１は操作入力した操作スイッチ６３ｄのＬＥＤ６４ｄを点滅状態にして、そのホワイトバランス調整の機能に対する処理中であることを（ユーザが分かるように）表示する。  
そして、次のステップＳ１４においてＣＰＵ４１は、ホワイトバランス調整の処理が終了したかの判定を行い、終了していない場合にはステップＳ１３の処理に戻る。
【００４６】
一方、ホワイトバランス調整の処理が終了した場合には、（図６に示す）ステップＳ２の戻る。ステップＳ２に戻った場合、ＣＰＵ４１は、操作スイッチ６３ｄのＬＥＤ６４ｄを点滅状態を解消し、緑色で点灯させる。また、光源装置３とプロセッサ４とは通信を行い、観察モードへの設定処理を行う。そして、その観察モードで実行可能な機能に対応する操作スイッチのＬＥＤを点灯状態にする。  
このように動作することにより、観察モードの切替を行った場合とほぼ同様の効果を有すると共に、さらに処理中の場合、どの機能の処理を行っているかを処理中である表示状態（具体的には点滅状態）での表示によりユーザは知ることができる。なお、図７における点滅させる処理を、図６の観察モードの切替の処理の場合に適用しても良い。また、点滅状態以外の表示状態で処理中である表示を行うようにしても良い。  
なお、ホワイトバランス調整が行われると、図４に示すようにホワイトバランス調整の操作スイッチ６３ｄの上に設けた完了を示すＬＥＤが点灯する。
【００４７】
なお、上述した観察モードの切替やホワイトバランス調整の処理中に、無効となる操作スイッチのＬＥＤを消灯状態にする場合を説明したが、このような制御処理を行う場合の機能或いは操作スイッチをユーザが選択設定できるようにしても良い。例えば電子内視鏡２の操作部７等に設けられるレリーズを行う操作スイッチが操作されてレリーズ処理を行う場合にも、同様の処理を行うようにしても良い。  
また、上記のように電子内視鏡２の操作部７に設けられたレリーズを行う操作スイッチの状態を表示するＬＥＤを例えばフロントパネル６２に設け、観察モードの切替等の処理中、そのＬＥＤを消灯状態にするようにしても良い。  
また、上述の説明では、機能が有効な場合には点灯、無効の場合には消灯となるように設定する場合で説明したが、機能が有効な場合と無効な場合とで異なる点灯状態でユーザに告知するようにしても良い。この場合、異なる点灯状態としては、例えば有効な場合の点灯色と無効な場合の点灯色とが異なるようにしても良い。
【００４８】
例えば、機能が有効な場合には、緑色或いは青色等で表示し、機能が無効な場合には黄色或いは灰色等、機能が有効な場合よりも目立たない色で表示するようにしても良い。また、有効な場合には、常時点灯し、（瞬時的）一時的に無効となる機能に対しては、点滅（点灯と消灯とを適宜の周期で繰り返し）をさせるようにしても良い。  
また、表示部として、具体的にはＬＥＤの場合で説明したが、これに限定されるものでなく、他の表示素子或いは表示デバイスなどを利用しても良い。また、操作子は、スイッチ或いはキーボード４７等に用いられている操作キーでも良いし、タッチセンサを備えたタッチパネル等のものでも良い。  
また、上述の説明では、電子内視鏡装置１として、電子内視鏡２と共に使用される内視鏡周辺装置としてのプロセッサ４と光源装置３とが同時に接続使用される場合で説明したが、本発明は、一方の装置の操作子及び表示部の場合に適用した場合も含む。  
また、他の内視鏡周辺装置が使用される場合には、該他の内視鏡周辺装置にも適用することができる。
【００４９】
［付記］
１．請求項１において、前記制御手段は、前記複数の操作子におけるいずれかが指示操作され、対応する機能の処理が終了するまでの間、対応する表示部を処理中である表示状態（具体的には点滅状態）に設定する制御を行う。  
２．請求項１において、前記複数の操作子及び前記表示部は、前記信号処理装置の操作パネルに設けられる。  
３．請求項１において、前記複数の操作子及び前記表示部は、前記光源装置の操作パネルに設けられる。
【００５０】
４．請求項１において、前記表示部はＬＥＤである。  
５．請求項１において、前記操作子は、操作スイッチ或いは操作キーである。  
６．請求項１において、前記制御手段は、前記複数の操作子におけるいずれかが指示操作され、対応する機能の処理が終了するまでの間、一時的に無効となる機能に対応する表示部の点灯色を変更した点灯色で点灯させる制御を行う。
【産業上の利用可能性】
【００５１】
観察モードの切替時等の短い処理時においてもその処理中に無効となる機能に対応する表示部を消灯状態等、ユーザがその機能が無効であることを分かり易く表示するようにしているので、使い勝手の良い状態で内視鏡検査等を行い易くなる。
【図面の簡単な説明】
【００５２】
【図１】図１は本発明の実施例１を備えた電子内視鏡装置の全体構成を示すブロック図。
【図２】図２は先端部の正面図。
【図３】図３は回転フィルタの構成やフィルタ特性等を示す図。
【図４】図４はプロセッサのフロントパネルにおける観察モード切替前後の表示状態を示す図。
【図５】図５はＬＥＤの点灯／消灯により、どの機能が有効か否かを表示するようにした光源装置のフロントパネルを示す図。
【図６】図６は本実施例におけるモード切替時における操作スイッチのＬＥＤの点灯／消灯の制御動作の内容を示すフローチャート図。
【図７】図７はホワイトバランス調整時における処理内容の主要部を示すフローチャート図。
【符号の説明】
【００５３】
１…電子内視鏡装置
２…電子内視鏡
３…光源装置
４…プロセッサ
５…モニタ
６…挿入部
７…操作部
１３Ａ、１３Ｂ…ＣＣＤ
１６ａ、１６ｂ…切替スイッチ
１７…チャンネル
１９…処置具
２２…スコープ情報格納部
２２ａ、３６、６１…メモリ
２３…ランプ
２５…帯域切替フィルタ
２７…回転フィルタ
３３…フィルタ＆絞り駆動回路
３５、４１…ＣＰＵ
４１ａ…切替時表示制御
４３ａ、４３ｂ…操作スイッチ
６３ａ〜６３ｆ…操作スイッチ
４４ａ〜４４ｄ…ＬＥＤ
６４ａ〜６４ｆ…ＬＥＤ
３９、６２…フロントパネル
４５…ＣＣＤ駆動回路
５３…ホワイトバランス回路
５４…画像処理回路
代理人    弁理士    伊藤  進
【図１】
2006271869.tif 000003
【図２】
2006271869.tif 000004
【図３】
2006271869.tif 000005
【図４】
2006271869.tif 000006
【図５】
2006271869.tif 000007
【図６】
2006271869.tif 000008
【図７】
2006271869.tif 000009